(57)【特許請求の範囲】
【請求項１】
物体側より像側へ順に、正の屈折力の第１レンズ群、負の屈折力の第２レンズ群、正の屈折力の第３レンズ群、正の屈折力の第４レンズ群、正の屈折力の第５レンズ群より構成され、ズーミングに際して前記第２レンズ群と前記第４レンズ群が移動し、ズーミングに際して隣り合うレンズ群の間隔が変化するズームレンズであって、
前記第１レンズ群の焦点距離をｆ１、前記第３レンズ群の焦点距離をｆ３、前記第５レンズ群の焦点距離をｆ５、広角端における全系の焦点距離をｆｗ、広角端における空気換算値でのバックフォーカスをｂｆとするとき、
５．０＜ｆ３／ｆｗ＜１８
０．００１０＜ｆｗ／ｆ５＜０．０１５５
１．２＜ｂｆ／ｆｗ＜３．５
１１．０≦ｆ１／ｆｗ＜３０．０
なる条件式を満足することを特徴とするズームレンズ。
【請求項２】
前記第４レンズ群の焦点距離をｆ４、望遠端における全系の焦点距離をｆｔとするとき、
０．４＜ｆ４／√（ｆｗ×ｆｔ）＜１．５
なる条件式を満足することを特徴とする請求項１に記載のズームレンズ。
【請求項３】
前記第５レンズ群は正レンズおよび負レンズを有することを特徴とする請求項１または２に記載のズームレンズ。
【請求項４】
前記第５レンズ群は正レンズと負レンズとを接合した接合レンズを有することを特徴とする請求項１乃至３のいずれか１項に記載のズームレンズ。
【請求項５】
前記第１レンズ群は正レンズを有し、該正レンズの材料のアッベ数と部分分散比を各々νｄｐ、θｇＦｐとするとき、
７０＜νｄｐ
０．００４＜θｇＦｐ−（０．６４４−０．００１６８×νｄｐ）＜０．０５５
なる条件式を満足することを特徴とする請求項１乃至４のいずれか１項に記載のズームレンズ。
【請求項６】
請求項１乃至５のいずれか１項に記載のズームレンズと、該ズームレンズによって形成された像を受光する固体撮像素子を有することを特徴とする撮像装置。
【請求項７】
画像処理によって収差補正を行う補正手段をさらに有することを特徴とする請求項６に記載の撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いた撮像装置に用いられる撮影光学系には、高ズーム比（高変倍比）で、しかもＦナンバーが小さく明るい、小型のズームレンズであることが要望されている。さらに、固体撮像素子の高精細化に対応できる高い光学性能を有したズームレンズであることが要望されている。
【０００３】
これらの要求に応えるズームレンズとして、物体側に正の屈折力のレンズ群を配置したポジティブリード型のズームレンズが知られている。ポジティブリード型のズームレンズとして、物体側から像側へ順に、正、負、正、正、正の屈折力の第１乃至第５レンズ群よりなる５群構成のズームレンズが知られている（特許文献１乃至３）。また全系の小型化を図る手段として、物体側の第１レンズ群以外のレンズ群を移動させてフォーカス（焦点合わせ）を行う、所謂リアフォーカス式の５群ズームレンズが知られている（特許文献４）。
【０００４】
特許文献１では第２レンズ群を移動して変倍させ、第４レンズ群を移動させて変倍に伴う像面変動の補正およびフォーカシングを行う５群ズームレンズが開示されている。
【先行技術文献】
【特許文献】
【０００５】
【特許文献１】特開２００６−９８９６３号公報
【特許文献２】特開２００７−３２２８０４号公報
【特許文献３】特開平３−２００１１３号公報
【特許文献４】特開平０８−００５９１３号公報
【発明の概要】
【発明が解決しようとする課題】
【０００６】
近年、撮像装置は小型化され、またそれに用いる撮像素子は高画素化されており、それに用いるズームレンズは小型でしかも高解像力であることが要望されている。この他、広画角で高ズーム比であること等が要望されている。前述したポジティブリードタイプのリアフォーカス式の５群ズームレンズは、全系の小型化を図りつつ、広画角化及び高ズーム比化が比較的容易である。
【０００７】
しかしながら、この５群ズームレンズにおいて、広画角化及び高ズーム比化を図りつつ、色収差や像面湾曲を良好に補正し、高い光学性能を得るには各レンズ群のレンズ構成を適切に設定することが重要になってくる。特に第３、第５レンズ群の屈折力が適切でないと、広画角で高ズーム比で全ズーム範囲で高い光学性能を得るのが大変困難になってくる。この他、フォーカス用の第４レンズ群の屈折力や第１、第５レンズ群のレンズ構成を適切に設定しないと、広画角化、高ズーム比化を得るのが大変困難になってくる。
【０００８】
本発明は、全体が小型で広画角、高ズーム比でありながら全ズーム範囲にわたり高い光学性能が得られるズームレンズの提供を目的とする。
【課題を解決するための手段】
【０００９】
本発明のズームレンズは、物体側より像側へ順に、正の屈折力の第１レンズ群、負の屈折力の第２レンズ群、正の屈折力の第３レンズ群、正の屈折力の第４レンズ群、正の屈折力の第５レンズ群より構成され、ズーミングに際して前記第２レンズ群と前記第４レンズ群が移動し、ズーミングに際して隣り合うレンズ群の間隔が変化するズームレンズであって、
前記第１レンズ群の焦点距離をｆ１、前記第３レンズ群の焦点距離をｆ３、前記第５レンズ群の焦点距離をｆ５、広角端における全系の焦点距離をｆｗ、広角端における空気換算値でのバックフォーカスをｂｆとするとき、
５．０＜ｆ３／ｆｗ＜１８
０．００１０＜ｆｗ／ｆ５＜０．０１５５
１．２＜ｂｆ／ｆｗ＜３．５
１１．０≦ｆ１／ｆｗ＜３０．０
なる条件式を満足することを特徴としている。
【発明の効果】
【００１０】
本発明によれば、全体が小型で広画角、高ズーム比でありながら全ズーム範囲にわたり高い光学性能が得られるズームレンズが得られる。
【図面の簡単な説明】
【００１１】
【図１】本発明の実施例１の広角端におけるレンズ断面図
【図２】（Ａ）、（Ｂ）、（Ｃ）本発明の実施例１のズームレンズの広角端、中間のズーム位置、望遠端における収差図
【図３】本発明の実施例２の広角端におけるレンズ断面図
【図４】（Ａ）、（Ｂ）、（Ｃ）本発明の実施例２のズームレンズの広角端、中間のズーム位置、望遠端における収差図
【図５】本発明の実施例３の広角端におけるレンズ断面図
【図６】（Ａ）、（Ｂ）、（Ｃ）本発明の実施例３のズームレンズの広角端、中間のズーム位置、望遠端における収差図
【図７】本発明の実施例４の広角端におけるレンズ断面図
【図８】（Ａ）、（Ｂ）、（Ｃ）本発明の実施例４のズームレンズの広角端、中間のズーム位置、望遠端における収差図
【図９】本発明の撮像装置の要部概略図
【発明を実施するための形態】
【００１２】
以下に、本発明の好ましい実施の形態を、添付の図面に基づいて詳細に説明する。本発明のズームレンズは、物体側から像側へ順に、正の屈折力の第１レンズ群、負の屈折力の第２レンズ群、正の屈折力の第３レンズ群、正の屈折力の第４レンズ群、正の屈折力の第５レンズ群からなっている。ズーミングに際して第２レンズ群と第４レンズ群が移動する。また第４レンズ群でフォーカシングを行っている。
【００１３】
図１は、本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比３９．５２、開口比（Ｆナンバー）１．６６〜５．０７のズームレンズである。
【００１４】
図３は、本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比３１．９４、開口比１．４７〜３．５４のズームレンズである。
【００１５】
図５は、本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比６０．１、開口比１．９９〜４．２０のズームレンズである。
【００１６】
図７は、本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比６９．９１、開口比１．９８〜４．８２のズームレンズである。図９は本発明の撮像装置の要部概略図である。
【００１７】
本発明のズームレンズは、デジタルカメラ、ビデオカメラ、銀塩フィルムカメラ等の撮像装置に用いられるものである。レンズ断面図において左方が前方（物体側、拡大側）で右方が後方（像側、縮小側）である。各実施例のズームレンズをプロジェクター等の投射レンズとして用いるときは、左方がスクリーン、右方が被投射画像となる。レンズ断面図において、ｉは物体側から像側への各レンズ群の順序を示し、Ｌｉは第ｉレンズ群である。
【００１８】
次に各実施例のズームレンズの特徴について説明する。各実施例のレンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群である。ＳＰは開放Ｆナンバー（Ｆｎｏ）光束を決定（制限）する開口絞りの作用をするＦナンバー決定部材（以下「開口絞り」ともいう。）であり、第３レンズ群Ｌ３の物体側に位置している。
【００１９】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の撮像素子（光電変換素子）の撮像面が置かれる。又、銀塩フィルム用カメラの撮影光学系として使用する際にはフィルム面に相当する感光面が置かれている。
【００２０】
収差図のうち球面収差図においてｄはｄ線、ｇはｇ線である。非点収差図においてΔＭはメリディオナル像面、ΔＳはサジタル像面である。倍率色収差はｇ線によって表している。ＦｎｏはＦナンバー、ωは半画角である。レンズ断面図において矢印は広角端から望遠端へのズーミングに際しての各レンズ群の移動軌跡を示している。ズーミングに際しては第２レンズ群Ｌ２と第４レンズ群Ｌ４が移動する。第１レンズ群Ｌ１、第３レンズ群Ｌ３、第５レンズ群Ｌ５はズーミングのためには不動である。
【００２１】
以下の各実施例において広角端と望遠端は変倍レンズ群が機構上光軸上移動可能な範囲の両端に位置したときのズーム位置をいう。各実施例では、広角端から望遠端へのズーミングに際して矢印のように、第２レンズ群Ｌ２を像側に移動することによって変倍を行う。また、第４レンズ群Ｌ４を物体側に凸状の軌跡で移動させることで変倍に伴う像面変動を補正している。
【００２２】
また、第４レンズ群Ｌ４を光軸上移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を物体側へ凸状の軌跡とすることで第３レンズ群Ｌ３と第４レンズ群Ｌ４間の空間の有効利用を図り、レンズ全長（第１レンズ面から像面までの距離）の短縮化を効果的に達成している。
【００２３】
又、望遠端において無限遠物体から近距離物体へフォーカスを行う場合には、矢印Ｆに示すように第４レンズ群Ｌ４を前方に繰り出すことで行っている。開口絞りＳＰはズーミングに際して不動である。
【００２４】
本発明は、高ズーム比を確保するために、物体側から像側へ順に、正、負、正、正、正の屈折力の第１乃至第５レンズ群Ｌ１〜Ｌ５で構成している。そしてズーミングに際して第２、第４レンズ群Ｌ２、Ｌ４を移動させている。これにより高ズーム比で全系が小型のズームレンズを達成している。
【００２５】
ズーミングに際して第１、第３、第５レンズ群Ｌ１、Ｌ３、Ｌ５を不動とすることにより、レンズ鏡筒の構成上における制御やアクチュエータの追加などの負荷をかけずに、収差補正を良好に行っている。
【００２６】
また第３レンズ群Ｌ３と第５レンズ群Ｌ５の焦点距離を各々ｆ３、ｆ５とする。広角端における全系の焦点距離をｆｗとする。広角端における空気換算値でのバックフォーカスをｂｆとする。このとき、
５．０＜ｆ３／ｆｗ＜１８                  ・・・（１）
０．００１０＜ｆｗ／ｆ５＜０．０１５５    ・・・（２）
１．２  ＜ｂｆ／ｆｗ＜３．５              ・・・（３）
なる条件式を満足している。
【００２７】
条件式（１）乃至（３）は広画角・高ズーム比でありながらズーム全域において良好な光学性能を得るためのものである。条件式（１）は、第３レンズ群Ｌ３のパワー（屈折力）を適切に設定している。条件式（１）の上限を超えて第３レンズ群Ｌ３の焦点距離が長くなると、第３レンズ群Ｌ３の正の屈折力の負荷が軽くなり収差補正上は好ましい。しかしながら、全長（第１レンズ面から像面までの長さ）を抑えるために第４レンズ群Ｌ４のパワーを大きくする必要が生じ、この結果、ズーム全域において収差変動を抑えることが困難になってしまう。
【００２８】
さらに第４、第５レンズ群Ｌ４、Ｌ５のレンズ径が増大して、全系の小型化が困難になる。更に第４レンズ群Ｌ４でフォーカスする際のアクチュエータの重量負荷が大きくなってくるので好ましくない。
【００２９】
また、条件式（１）の下限を超えて第３レンズ群Ｌ３の焦点距離が短くなると、パワー（屈折力）が強くなりすぎてしまい、特に広角端において球面収差が増加してくる。また、ズーム全域において収差をバランス良く補正するのが難しくなってくる。さらに第４レンズ群Ｌ４の光軸方向の位置の変化に伴う射出瞳位置の変動が大きくなってくるので好ましくない。
【００３０】
条件式（２）は、第５レンズ群Ｌ５のパワー配分を適切に設定している。条件式（２）の上限を超えると第５レンズ群Ｌ５のパワーが強すぎて、諸収差をバランス良く補正するのが困難となってくる。また、条件式（２）の下限を超えると第５レンズ群Ｌ５のパワーが弱くなりすぎて、諸収差をバランス良く補正するのが困難になってくる。
【００３１】
条件式（３）は、バックフォーカス（ガラスブロックＧを空気換算長としたときの最終レンズ面から像面までの空気換算距離）を適切に設定するためのものである。条件式（３）の上限を超えると、バックフォーカスが長くなりすぎてしまい、第１レンズ群Ｌ１から像面までの距離が拡大して第１レンズ群Ｌ１の有効径が増大し、全系の小型化が困難になる。
【００３２】
さらには、第３レンズ群Ｌ３から第４レンズ群Ｌ４への光束の発散が大きくなり、第４レンズ群Ｌ４が大型化し、像面補正や合焦を行うときのアクチュエータの負荷が大きくなってくるので良くない。また、条件式（３）の下限を超えるとバックフォーカスが短くなりすぎて、光学フィルター等を入れるための空間が少なくなってくるので良くない。更に好ましくは条件式（１）乃至（３）の数値範囲をそれぞれ以下の如く設定するのが良い。
【００３３】
６．５＜ｆ３／ｆｗ＜１５．５                  ・・・（１ａ）
０．００３０＜ｆｗ／ｆ５＜０．０１５０        ・・・（２ａ）
１．４＜ｂｆ／ｆｗ＜３．２                    ・・・（３ａ）
各実施例においては、以上のように各要素を設定することにより、広画角・高ズーム比でしかもズーム全域で諸収差を良好に補正されたズームレンズを得ている。さらに広角端における全系のＦナンバーが小さいズームレンズを実現している。
【００３４】
本発明の目的とするズームレンズは、以上のような構成を満足することにより実現されるが、更に高ズーム比を維持しつつ、光学性能を得るには、以下の特徴のうち少なくとも１つを満足することが好ましい。第１レンズ群Ｌ１と第４レンズ群Ｌ４の焦点距離を各々ｆ１、ｆ４とする。望遠端における全系の焦点距離をｆｔとする。
【００３５】
第１レンズ群Ｌ１は正レンズを有し、正レンズの材料のアッベ数と部分分散比を各々νｄｐ、θｇＦｐとする。このとき、次の諸条件のうち１以上を満足するのが良い。
【００３６】
１１．０≦ｆ１／ｆｗ＜３０．０            ・・・（４）
０．４＜ｆ４／√（ｆｗ×ｆｔ）＜１．５    ・・・（５）
７０＜νｄｐ                              ・・・（６）
０．００４＜θｇＦｐ−（０．６４４−０．００１６８×νｄｐ）＜０．０５５
・・・（７）
ここで波長４３６ｎｍ（ｇ線）、波長４８６ｎｍ（Ｆ線）、波長５８８ｎｍ（ｄ線）、波長６５６ｎｍ（Ｃ線）のそれぞれに対する材料の屈折率を、それぞれｎｇ，ｎＦ，ｎｄ，ｎＣとするとき、アッベ数νｄと部分分散比θｇＦは次のとおりである。
【００３７】
νｄ＝（ｎｄ−１）／（ｎＦ−ｎＣ）
θｇＦ＝（ｎｇ−ｎＦ）／（ｎＦ−ｎＣ）
条件式（４）は、第１レンズ群Ｌ１のパワー（屈折力）を適切に設定するためのものである。条件式（４）の上限を超えると、前玉有効径が大きくなりカメラが大型化してくる。また下限を超えると、望遠端において球面収差をはじめとする諸収差の補正が困難になってくる。
【００３８】
条件式（５）はズーミング及びフォーカシングに際して移動する第４レンズ群Ｌ４のパワーを適切に設定するためのものである。条件式（５）の上限を超えると第４レンズ群Ｌ４のパワーが弱まり、ズーミングおよびフォーカスの際の移動量が多くなり全系の小型化が困難になる。また、下限を超えると第４レンズ群Ｌ４のパワーが強くなり過ぎてしまい、諸収差の補正が困難となる。
【００３９】
条件式（６）、（７）は色収差、特に、望遠領域における軸上色収差を良好におこなうためのものである。条件式（６）、（７）を同時に満たす低分散（もしくは超低分散）の材料を用いると、色収差を良好に補正することが容易になる。条件式（６）、（７）の範囲を外れると、色収差の補正が不足となり、像に色にじみが目立ってくるので良くない。
【００４０】
各実施例において更に好ましくは条件式（４）乃至（７）の数値範囲を次の如く設定するのが良い。
【００４１】
１１．０≦ｆ１／ｆｗ＜２６．０            ・・・（４ａ）
０．６＜ｆ４／√（ｆｗ×ｆｔ）＜１．３    ・・・（５ａ）
７５＜νｄｐ                              ・・・（６ａ）
０．０２０＜θｇＦｐ−（０．６４４−０．００１６８×νｄｐ）＜０．０５５
・・・（７ａ）
各実施例では以上のように構成することにより、広画角、高ズーム比で全ズーム範囲にわたり高い光学性能が得られる小型のズームレンズが得られる。
【００４２】
次に各実施例において好ましい形態について説明する。第５レンズ群Ｌ５は１つの正レンズと１つの負レンズを含むのが良い。これによれば、諸収差の補正を良好に行うのが容易になる。特にズーム全域において球面収差をはじめとする諸収差を良好に補正することが容易になる。また第５レンズ群Ｌ５を正レンズと負レンズとを接合した接合レンズを有するのが良い。これによれば、色収差の補正を良好に行うのが容易になる。特にズーム全域において倍率色収差を効果的に補正することが容易になる。
【００４３】
本発明のズームレンズは、形成された像を受光する固体撮像素子を有した撮像装置に用いるのが良い。近年はデジタル的に像を処理するためにCCD（Charge Coupled Device）やCMOS(Complementary Metal Oxide Semiconductor)などがおもに使用されている。本発明のズームレンズもこれに相当する固体撮像素子を有した撮像装置に用いるのが良い。
【００４４】
本発明のズームレンズは、諸収差を電気的に補正する補正手段をさらに有する撮像装置に用いても良い。銀塩フィルムとは異なりデジタルカメラなどの撮像装置では画像をデジタルデータとして取得できる。この特性を利用し、ズームレンズから得られた画像に対して画像変換処理を施し諸収差を低減させると良好なる画像が容易に得られる。
【００４５】
例えば、歪曲収差や色収差を電気的に補正すれば、諸収差が補正された画像を得ることができる。また、非球面や異常分散ガラスをあまり使用せずに良好なる画像が容易に得られる。
【００４６】
次に各実施例のレンズ構成を説明する。以下、レンズ構成は特に断りがない限り、物体側から像側へ順に配置されているとする。
【００４７】
第１レンズ群Ｌ１は、物体側のレンズ面が凸でメニスカス形状の負レンズＧ１１、両凸形状の正レンズＧ１２、物体側のレンズ面が凸でメニスカス形状の正レンズＧ１３より成っている。正レンズＧ１２は、色収差の補正に効果を持たせるためにアッベ数の大きい（低分散特性を有する）材料を使用している。
【００４８】
第２レンズ群Ｌ２は、物体側のレンズ面が凸でメニスカス形状の負レンズＧ２１、両凹形状の負レンズＧ２２、両凸形状の正レンズＧ２３と両凹形状の負レンズＧ２４とを接合した接合レンズにより成っている。
【００４９】
第３レンズ群Ｌ３は、両凸形状の正レンズＧ３１、物体側のレンズ面が凸でメニスカス形状の負レンズＧ３２により成っている。このとき正レンズＧ３１の片面もしくは両面は非球面形状であり、これにより広角端において球面収差をはじめズーム全域における諸収差を効果的に補正している。また第２レンズ群Ｌ２からの発散光束径を大きく広げることなく（第４レンズ群Ｌ４が大型化しないように）射出している。
【００５０】
第４レンズ群Ｌ４は、両凸形状の正レンズＧ４１と像面側のレンズ面が凸でメニスカス形状の負レンズＧ４２を接合した接合レンズにより成っている。また接合レンズとすることによりズーム全域において軸上色収差および倍率色収差を良好に補正している。尚、正レンズＧ４１の物体側のレンズ面を非球面形状とするのが良い。
【００５１】
これによれば像面湾曲の補正およびフォーカシングに際して第４レンズ群Ｌ４から発生する諸収差の補正が容易になる。特に、広角端から望遠端における全ズーム範囲および無限遠物体から至近距離物体にフォーカスしたときの収差を、レンズ枚数を増やすことなく良好に補正するのが容易になる。
【００５２】
第５レンズＬ５は、実施例１においては像側のレンズ面が凸でメニスカス形状の正レンズＧ５１と像側のレンズ面が凸でメニスカス形状の負レンズＧ５２とを接合した接合レンズより成っている。実施例２においては、像側のレンズ面が凸でメニスカス形状の正レンズＧ５１と像側のレンズ面が凸でメニスカス形状の負レンズＧ５２の独立した２つのレンズよりなっている。
【００５３】
実施例３においては両凸形状の正レンズＧ５１と両凹形状の負レンズＧ５２とを接合した接合レンズより成っている。実施例４においては両凸形状の正レンズＧ５１と像側のレンズ面が凸でメニスカス形状の負レンズＧ５２とを接合した接合レンズより成っている。
【００５４】
なお、実施例１乃至４において、正レンズＧ１２の材料に、商品名Ｓ−ＦＰＬ５１（（株）ＯＨＡＲＡ製）を用いることを想定している。この他、商品名ＦＣＤ１０（ＨＯＹＡ（株）製）やＳ−ＦＰＬ５３（（株）ＯＨＡＲＡ製）などの超低分散ガラスを使用しても良い。
【００５５】
以上のように、各実施例によれば広画角かつ高ズーム比で、全ズーム範囲にわたり高い光学性能の小型のズームレンズが得られる。
【００５６】
開口絞りＳＰを第３レンズ群Ｌ３の物体側に設定する代わりに第３レンズ群Ｌ３の中や像面側に配置しても良い。またズーミングに際して他のレンズ群と一体的に、又は独立に移動させても良い。
【００５７】
非球面レンズの材料はガラス材料に限らず、球面レンズ面上に樹脂材料で非球面形状を形成した（非球面成分を乗せた）ハイブリッドタイプの非球面レンズや、プラスチック材料より成る非球面レンズを用いても良い。レンズ群の全部又は一部を光軸に対して垂直方向の成分を持つように移動させ、像位置を光軸に対し垂直方向に変移させて手ぶれ等の振動に伴う像ブレを補正しても良い。
【００５８】
以上、本発明の好ましい実施形態について説明したが、本発明はこれらの実施形態に限定されず、その要旨の範囲内で種々の変形及び変更が可能である。
【００５９】
次に、本発明の撮像装置の一例としてデジタルスチルカメラを用いたときの実施例を図９を用いて説明する。図９において２０はカメラ本体、２１は本発明に係るズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。
【００６０】
２３は撮像素子２２によって光電変換された被写体像に対応する情報を記録するメモリである。２４は液晶ディスプレイパネル等によって構成され、固体撮像素子２２上に形成された被写体像を観察するためのファインダーである。このように本発明によれば、小型で高い光学性能を有する撮像装置が得られる。
【００６１】
次に本発明の実施例１乃至４に対応する数値実施例１乃至４を示す。数値実施例においてｉは物体からの面の順番を示す。ｒｉは物体側より順に第ｉ番目の面の曲率半径、ｄｉは物体側より順に第ｉ番目と第ｉ＋１番目間のレンズ厚及び空気間隔、ｎｄｉとνｄｉは各々物体側より順に第ｉ番目の光学部材の材質の屈折率とアッベ数である。また最も像側の２つの面はフェースプレート等のガラス材である。
【００６２】
非球面形状は光軸方向にＸ軸、光軸と垂直方向にＨ軸、光の進行方向を正としＲを近軸曲率半径、Ｋを円錐定数、Ａ４，Ａ６，Ａ８，Ａ１０を各々非球面係数としたとき
【００６３】
【数１】
0005783840.tif 000002
【００６４】
なる式で表している。*は非球面形状を有する面を意味している。「ｅ−ｘ」は１０-xを
意味している。ＢＦはバックフォーカスであり、最終レンズ面から像面までの空気変換長
で表している。前述の各条件式と各数値実施例との関係を表１に示す。
【００６５】
［数値実施例１］
面データ
面番号       r        d      nd         νd       有効径
1         35.856    1.75   1.84666    23.8       31.58
2         24.001    6.40   1.49700    81.5       29.08
3       -434.601    0.15                         28.24
4         24.668    3.00   1.69680    55.5       24.45
5         59.248  (可変)                         23.49
6         37.647    0.70   1.88300    40.8       10.71
7          4.832    2.73                          7.79
8        -13.001    0.60   1.80400    46.6        7.73
9         35.881    0.15                          7.83
10         11.147    2.45   1.84666    23.8        8.05
11        -11.195    0.45   1.83400    37.2        7.86
12         34.021  (可変)                          7.60
13(絞り)    ∞       0.43                         11.03
14*        14.004    3.35   1.69350    53.2       11.50
15*       -28.332    0.55                         11.23
16        103.394    0.65   1.84666    23.8       10.62
17         17.252  (可変)                         10.20
18*        20.823    3.21   1.58313    59.4        9.43
19        -10.581    0.55   1.84666    23.8        9.11
20        -14.416  (可変)                          9.09
21        -12.918    1.20   1.80610    40.9        6.01
22         -8.501    0.55   1.84666    23.8        6.08
23        -13.073    2.00                          6.15
24          ∞       1.85   1.51633    64.2       15.00
25          ∞   
【００６６】
非球面データ
第14面
K =-6.55292e-002  A 4=-3.24389e-005  A 6=-1.27555e-006  A 8= 3.26000e-009  A10= 3.01487e-010  
第15面
K = 4.62098e-001  A 4= 9.76324e-005  A 6=-2.23413e-006  A 8= 3.44469e-008  
第18面
K = 5.05978e-001  A 4=-9.09213e-005  A 6=-1.00695e-006  A 8= 2.15066e-008  A10=-1.90676e-010  
各種データ
ズーム比     39.52 
広角     中間     望遠
焦点距離       3.40    36.58   134.36    
Fナンバー      1.66     2.57     5.07     
像高           2.25     2.25     2.25     
レンズ全長    80.04    80.04    80.04    
BF             6.56     6.56     6.56
間隔          広角     中間     望遠
d 5            0.54    21.33    26.52    
d12           27.63     6.85     1.65     
d17           10.22     2.23    15.36    
d20            6.23    14.21     1.09     
【００６７】
[数値実施例２]
面データ
面番号       r        d      nd         νd       有効径
1         61.872    1.75   1.84666    23.8       36.47
2         32.340    6.47   1.69680    55.5       34.03
3       17256.115    0.15                        33.11
4         31.135    2.98   1.69680    55.5       29.39
5         64.685  (可変)                         28.53
6         32.801    0.70   1.88300    40.8       13.28
7          6.041    3.72                          9.92
8        -16.059    0.60   1.80400    46.6        9.80
9         55.836    0.15                          9.98
10         14.091    2.45   1.84666    23.8       10.29
11        -36.506    0.50   1.69680    55.5       10.09
12         35.626  (可変)                          9.83
13(絞り)    ∞       0.22                         12.34
14*        13.249    3.35   1.69350    53.2       12.80
15*       -54.025    0.71                         12.37
16         26.028    0.70   1.84666    23.8       11.49
17         12.822  (可変)                         10.85
18*        19.096    3.20   1.58313    59.4        9.55
19        -10.714    0.55   1.84666    23.8        9.11
20        -16.671  (可変)                          9.03
21        -25.385    1.26   1.74950    35.3        6.27
22         -9.697    0.39                          6.24
23         -8.698    0.65   1.84666    23.8        6.01
24        -16.909    2.00                          6.04
25          ∞       1.85   1.51633    64.2       15.00
26          ∞   
【００６８】
非球面データ
第14面
K = 7.95595e-002  A 4=-2.38825e-005  A 6=-1.00862e-006  A 8= 4.27075e-009  A10= 2.68533e-010  
第15面
K =-3.39598e-001  A 4= 9.57444e-005  A 6=-2.15178e-006  A 8= 3.81906e-008  
第18面
K = 5.05978e-001  A 4=-4.84073e-005  A 6=-1.07918e-006  A 8= 1.87954e-008  A10=-7.16980e-011  
各種データ
ズーム比     31.94 
広角     中間     望遠
焦点距離       3.49    33.99   111.45    
Fナンバー      1.47     2.14     3.54     
像高           2.25     2.25     2.25     
レンズ全長    86.36    86.36    86.36    
BF             5.89     5.89     5.89
間隔          広角     中間     望遠
d 5            0.61    28.05    34.91    
d12           35.95     8.51     1.65     
d17            8.72     2.48    12.13     
d20            4.69    10.94     1.28    
【００６９】
[数値実施例３]
面データ
面番号       r        d      nd         νd       有効径
1         49.474    1.75   1.84666    23.8       31.02
2         29.086    6.20   1.49700    81.5       29.07
3       -583.424    0.15                         28.04
4         28.432    2.99   1.78800    47.4       25.62
5         70.888  (可変)                         24.79
6         16.908    0.70   1.90366    31.3        9.20
7          4.051    2.70                          6.71
8         -9.567    0.60   1.80610    40.9        6.59
9         35.491    0.15                          6.76
10         11.129    2.45   1.84666    23.8        6.98
11         -7.872    0.45   1.72342    38.0        6.89
12         41.474  (可変)                          6.71
13(絞り)    ∞       2.21                          6.68
14*        15.558    2.60   1.69350    53.2        7.06
15        -24.524    0.15                          6.90
16         70.404    0.65   1.90366    31.3        6.74
17         18.124  (可変)                          6.54
18*        19.246    2.87   1.58313    59.4        5.83
19         -7.197    0.55   1.84666    23.8        5.47
20        -11.485  (可変)                          5.45
21         53.823    1.09   1.69680    55.5        4.08
22        -30.739    0.55   1.84666    23.8        3.90
23       1718.628    2.00                          3.81
24          ∞       1.80   1.51633    64.1       15.00
25          ∞   
【００７０】
非球面データ
第14面
K =-1.58996e+000  A 4=-9.67515e-005  A 6=-1.77710e-007  A 8=-3.35358e-009  
第18面
K = 1.57454e+000  A 4=-9.42316e-005  A 6= 6.31252e-007  A 8= 1.37233e-008  
各種データ
ズーム比     60.10 
広角     中間     望遠
焦点距離       1.88    21.45   113.00    
Fナンバー      1.99     2.90     4.20    
像高           1.15     1.15     1.15    
レンズ全長    81.38    81.38    81.38    
BF             5.45     5.45     5.45    
間隔          広角     中間     望遠
d 5            0.58    27.37    34.07    
d12           35.13     8.35     1.65     
d17            7.37     2.05    10.26     
d20            4.04     9.36     1.15     
【００７１】
[数値実施例４]
面データ
面番号       r        d      nd         νd       有効径
1         53.504    1.75   1.84666    23.8       32.42
2         31.689    6.60   1.49700    81.5       30.54
3       -270.091    0.15                         29.49
4         28.991    3.00   1.78800    47.4       26.73
5         62.228  (可変)                         25.82
6         17.728    0.70   2.00069    25.5        8.76
7          4.250    2.92                          6.62
8        -12.786    0.60   1.80610    40.9        6.32
9         27.093    0.55                          6.46
10         11.129    2.45   1.84666    23.8        6.83
11         -8.784    0.45   1.69680    55.5        6.73
12         21.712  (可変)                          6.51
13(絞り)    ∞       0.66                          7.61
14*        18.859    3.00   1.69350    53.2        7.78
15*       -22.431    0.75                          7.65
16         20.099    0.65   1.84666    23.8        7.17
17         11.498  (可変)                          6.87
18         18.290    2.75   1.61772    49.8        6.96
19         -7.944    0.55   1.92286    18.9        6.77
20        -12.727  (可変)                          6.82
21        601.671    1.05   1.63980    34.5        5.12
22        -25.243    0.55   1.92286    18.9        4.88
23        -67.987    2.01                          4.76
24          ∞       1.80   1.51633    64.1       15.00
25          ∞   
【００７２】
非球面データ
第14面
K =-2.42964e+000  A 4=-6.45533e-005  A 6= 1.07667e-007  A 8=-1.69512e-008  A10= 1.27801e-010  
第15面
K =-6.92139e-001  A 4= 1.91361e-005  A 6=-5.61584e-007  
各種データ
ズーム比     69.91 
広角     中間     望遠
焦点距離       1.94    22.20   135.62     
Fナンバー      1.98     2.44     4.82     
像高           1.15     1.15     1.15    
レンズ全長    86.38    86.38    86.38    
BF             5.46     5.46     5.46    
間隔          広角     中間     望遠
d 5            1.11    29.51    36.61     
d12           37.18     8.78     1.68    
d17           10.05     3.84    12.36     
d20            3.46     9.67     1.15     
【００７３】
【表１】
0005783840.tif 000003
【符号の説明】
【００７４】
Ｌ１…第１レンズ群      Ｌ２…第２レンズ群      Ｌ３…第３レンズ群
Ｌ４…第４レンズ群      Ｌ５…第５レンズ群
【図１】
0005783840.tif 000004
【図２】
0005783840.tif 000005
【図３】
0005783840.tif 000006
【図４】
0005783840.tif 000007
【図５】
0005783840.tif 000008
【図６】
0005783840.tif 000009
【図７】
0005783840.tif 000010
【図８】
0005783840.tif 000011
【図９】
0005783840.tif 000012